(57)【要約】【課題】受診者による検査結果の理解をより容易にし、担当医師による検査結果の説明をより容易にする。【解決手段】  表示コード記入欄３３の上からｊ番目のボックス３３ｉ内の表示コードＤＣｊを読み込み、表示コードＤＣｊをキーとして、報告書データを検索し、ヒットしたレコードｋを読み出して、その検査項目名、検査値、検査値レベル、備考及びエラーをそれぞれ、表３０１の第ｊ行の第１〜５列に記入する。レコードｋの検査項目名を、グラフ３０２の第ｊ行第１列に記入し、レコードｋの規定値Ｓに比例した長さのバーを、グラフ３０２の第ｊ行第２列に表示する。レコードｋの検査項目名及び説明文をそれぞれ、検査項目説明欄３０４の第ｊ行の第１列及び第２列に記入する。【選択図】図６
2011022915.tif 000002
【特許請求の範囲】
【請求項１】
複数の検査テーマのそれぞれについて検査テーマに属する複数の検査項目を定めたものが記憶手段に予め登録され、検査項目毎に検査項目識別子と検査項目名と検査値レベル判定用参考値と検査項目説明文とが対応付けられて該記憶手段に予め登録された状態で、
（ａ）データ入力手段により、検査項目識別子と検査値とを含むレコードを複数、検査データとして入力し、
（ｂ）データ処理手段により、該検査データにより定まる検査テーマのそれぞれにつき、入力された検査値の規格値を、該記憶手段に登録されている参考値に基づいて算出し、
（ｃ）指示入力手段で選択された検査テーマに応じてデータ出力制御手段により、この検査テーマにつき、検査項目名、検査値、規定値に対応した検査値レベル及び参考値が各検査項目について行方向帯状領域に記入された表と、この検査テーマの検査項目名を縦軸とし検査値の規格値を横軸とするグラフと、この検査テーマにつき、検査項目名と検査項目説明文とが各検査項目について行方向帯状領域に記入された説明欄とを、該表、該グラフ及び該説明文のそれぞれの検査項目名の行が互いに対応するように配置して、該表示装置の１画面内に表示させ又は印刷装置に対し用紙１頁内に印刷させる、
ことを特徴とする健康診断報告書作成方法。
【請求項２】
該記憶手段には、各検査項目識別子にさらに表示コードが対応付けられて予め登録されており、
ステップ（ｃ）において、該データ出力制御手段により、該１画面内にさらに、該表の各検査項目に対応して表示コードを表示させ、該指示入力手段を介し表示コードが変更されたことに応答して、該表、該グラフ及び該説明欄の、この表示コードに対応する行方向帯状領域内を連動して変更する、
ことを特徴とする請求項１に記載の健康診断報告書作成方法。
【請求項３】
該指示入力手段を介し表示コードが変更される前においても、各表示コードに基づいて、
該表、該グラフ及び該説明欄の、この表示コードに対応する行を該表示装置に表示させる、
ことを特徴とする請求項２に記載の健康診断報告書作成方法。
【請求項４】
該記憶手段には、検査項目毎にその検査項目識別子にさらに、参考値の単位が対応付けられて予め登録されており、
ステップ（ａ）において、レコードは検査値の単位をさらに含み、
ステップ（ｂ）において、該データ処理手段により、該検査値の単位が、対応する参考値の単位と一致しているか否かを判定し、
ステップ（ｃ）において、該データ出力制御手段により、該判定が不一致を示している検査値について、該表の内側又は外側の対応する部分にその単位がエラーであることを示す情報を記入して該画面に表示させる、
ことを特徴とする請求項１乃至３のいずれか１つに記載の健康診断報告書作成方法。
【請求項５】
複数の検査テーマのそれぞれについて検査テーマに属する複数の検査項目を定めたものが予め登録され、かつ、検査項目毎に検査項目識別子と検査項目名と検査値レベル判定用参考値と検査項目説明文とが対応付けられて予め登録された記憶手段と、
検査項目識別子と検査値とを含むレコードを複数、検査データとして入力するデータ入力手段と、
該検査データにより定まる検査テーマのそれぞれにつき、入力された検査値の規格値を、該記憶手段に登録されている参考値に基づいて算出するデータ処理手段と、
指示入力手段で選択された検査テーマに応じて、この検査テーマにつき、検査項目名、検査値、規定値に対応した検査値レベル及び参考値が各検査項目について行方向帯状領域に記入された表と、この検査テーマの検査項目名を縦軸とし検査値の規格値を横軸とするグラフと、この検査テーマにつき、検査項目名と検査項目説明文とが各検査項目について行方向帯状領域に記入された説明欄とを、該表、該グラフ及び該説明文のそれぞれの検査項目名の行が互いに対応するように配置して、該表示装置の１画面内に表示させ又は印刷装置に対し用紙１頁内に印刷させる、データ出力制御手段と、
を有することを特徴とする健康診断報告書作成装置。
【発明の詳細な説明】
【技術分野】
【０００１】
本発明は、アンチエイジング（抗加齢）ドックや通常の人間ドックを含む健康診断での検査値データに基づいて健康診断報告書を作成する健康診断報告書作成方法及び装置に関する。
【背景技術】
【０００２】
特に日本では、高齢者の増加に伴って医療費が増加の一途を辿り、健康管理により病気を予防して健康的な生活を送ると共に、医療費増加を抑制することが要求されている。
【０００３】
このような状況で、近年、アンチエイジング（抗加齢）のための人間ドック若しくは健康診断や、保健のための食事、サプリメント、運動等が注目されている。
【０００４】
下記特許文献１では、受診者の骨年齢、血管年齢、ホルモン年齢、精神神経年齢及び筋年齢の生理学的年齢を測定して、ペンタグラム・レーダーチャートで表し、生理学的年齢が実年齢を超える項目について、コンピュータで、蓄積された栄養剤処方例データベースから栄養剤処方を出力し、被験者に提示する構成が開示されている。
【先行技術文献】
【特許文献】
【０００５】
【特許文献１】特開２００７−６５８９２号公報
【発明の概要】
【発明が解決しようとする課題】
【０００６】
しかしながら、各検査テーマに関する複数の検査項目のそれぞれの検査値レベル（評価）が不明である。
【０００７】
一方、通常の健康診断では、検査機関により、検査項目毎に検査値と正常範囲とが健康診断報告書として記述され、担当医師がそれを見て判断し、受診者に検査結果を説明すると共に、栄養や運動などの保健指導を行うことが行われている。
【０００８】
このため、受診者は、健康診断報告書を見ただけではその内容の理解が容易でなく、また、この健康診断報告書に基づく担当医師の説明も理解が容易でなく、結果として、検査結果の有効利用が妨げられる原因となっている。
【０００９】
本発明の目的は、このような点に鑑み、受診者による検査結果の理解をより容易にする健康診断報告書作成方法及び装置を提供することにある。
【００１０】
本発明の他の目的は、担当医師による検査結果の説明をよりし易くすると共に、受診者による検査結果の理解をより容易にする健康診断報告書作成方法及び装置を提供することにある。
【課題を解決するための手段】
【００１１】
本発明による健康診断報告書作成方法の第１態様では、複数の検査テーマのそれぞれについて検査テーマに属する複数の検査項目を定めたものが記憶手段に予め登録され、検査項目毎に検査項目識別子と検査項目名と検査値レベル判定用参考値と検査項目説明文とが対応付けられて該記憶手段に予め登録された状態で、
（ａ）データ入力手段により、検査項目識別子と検査値とを含むレコードを複数、検査データとして入力し、
（ｂ）データ処理手段により、該検査データにより定まる検査テーマのそれぞれにつき、入力された検査値の規格値を、該記憶手段に登録されている参考値に基づいて算出し、
（ｃ）指示入力手段で選択された検査テーマに応じてデータ出力制御手段により、この検査テーマにつき、検査項目名、検査値、規定値に対応した検査値レベル及び参考値が各検査項目について行方向帯状領域に記入された表と、この検査テーマの検査項目名を縦軸とし検査値の規格値を横軸とするグラフと、この検査テーマにつき、検査項目名と検査項目説明文とが各検査項目について行方向帯状領域に記入された説明欄とを、該表、該グラフ及び該説明文のそれぞれの検査項目名の行が互いに対応するように配置して、該表示装置の１画面内に表示させ又は印刷装置に対し用紙１頁内に印刷させる。
【００１２】
本発明による健康診断報告書作成方法の第２態様では、第１態様において、該記憶手段には、各検査項目識別子にさらに表示コードが対応付けられて予め登録されており、
ステップ（ｃ）において、該データ出力制御手段により、該１画面内にさらに、該表の各検査項目に対応して表示コードを表示させ、該指示入力手段を介し表示コードが変更されたことに応答して、該表、該グラフ及び該説明欄の、この表示コードに対応する行方向帯状領域内を連動して変更する。
【００１３】
本発明による健康診断報告書作成方法及び装置の第３態様では、第２態様において、該指示入力手段を介し表示コードが変更される前においても、各表示コードに基づいて、該表、該グラフ及び該説明欄の、この表示コードに対応する行を該表示装置に表示させる。
【発明の効果】
【００１４】
上記第１態様の構成によれば、選択された検査テーマにつき、検査項目名、検査値、規定値に対応した検査値レベル及び参考値が各検査項目について行方向帯状領域に記入された表と、この検査テーマの検査項目名を縦軸とし検査値の規格値を横軸とするグラフと、この検査テーマにつき、検査項目名と検査項目説明文とが各検査項目について行方向帯状領域に記入された説明欄とが、該表、該グラフ及び該説明文のそれぞれの検査項目名の行が互いに対応するように配置されて、表示装置の１画面内に表示され又は用紙１頁内に印刷されるで、受診者による検査結果の理解がより容易になるという効果を奏し、保健、ひいては医療費増加抑制に寄与するところが大きい。
【００１５】
上記第２態様の構成によれば、表示コード変更に応答して、該表、該グラフ及び該説明欄の、この表示コードに対応する行方向帯状領域内が連動して変更するので、簡単な操作で、担当医師は検査結果を上から順に説明することができ、これにより、説明がよりし易くなるとともに、受診者にとって説明の理解が容易となり、これにより、受診者はその内容をより長期間記憶に留めることが可能となり、結果として、検査結果をより有効に活用することが可能となるという効果を奏する。
【００１６】
上記第３態様の構成によれば、表示コード変更前においても、各表示コードに基づいて該表、該グラフ及び該説明欄の、この表示コードに対応する行方向帯状領域内を該表示装置に表示させるので、表示コード変更に対しても同様な処理を行えばよく、ソフトウェアの全体構成が簡単になるという効果を奏する。
【００１７】
本発明の他の目的、構成及び効果は以下の説明から明らかになる。
【図面の簡単な説明】
【００１８】
【図１】データ入力及び報告書データ生成処理を示す概略フローチャートである。
【図２】（Ａ）は報告書データに基づいて健康診断報告書を画面に表示させる処理を示す概略フローチャートであり、（Ｂ）はこの画面で表示コードを書き換えた場合の処理を示す概略フローチャートである。
【図３】検査データファイルの内容説明図である。
【図４】報告書データの内容説明図である。
【図５】表示コードＤＣ１の値を変更したときにどの内容が変更されるかを示す説明図である。
【図６】検査テーマが「脂質」である場合の健康診断報告書及びこれに関連する部分の表示画面である。
【図７】検査テーマが「肝臓」である場合の健康診断報告書及びこれに関連する部分の表示画面である。
【図８】図６において、ボックス３３１とボックス３３２内の表示コードを入れ替えた場合の処理結果を示す図である。
【図９】健康診断報告書作成装置１０のハードウェア構成を示す概略ブロック図である。
【図１０】ネットワークを用いた健康診断報告書作成システムの概略説明図である。
【実施例１】
【００１９】
図９は、健康診断報告書作成装置１０のハードウェア構成を示す概略ブロック図である。
【００２０】
この健康診断報告書作成装置１０は、一般的なコンピュータシステムと、このシステムを健康診断報告書作成装置として機能させるためのソフトウェアとで構成されている。
【００２１】
健康診断報告書作成装置１０では、ＣＰＵ１１がインターフェイス１２を介してＥＥＰＲＯＭ１３、ＤＲＡＭ１４、ＨＤＤ１５、対話型入力装置１６、表示装置１７、印刷装置１８及びＵＳＢポート１９に結合されている。図９では、簡単化の為に、複数のインターフェイスを１つのボックス１２で表している。
【００２２】
ＥＥＰＲＯＭ１３には、ＢＩＯＳ（Basic Input/Output System）が格納されている。ＤＲＡＭ１４は、主記憶装置として用いられる。ＨＤＤ（ハードディスクドライブ）１５には、ブートストラップ、オペレーティングシステム（ＯＳ）、ＯＳの上層で動作するアプリケーション及びＯＳの下層で動作する各種デバイスドライバ並びにデータが格納されている。このアプリケーションは、健康診断報告書作成プログラムを含み、このデータは、報告書作成用登録データを含んでいる。対話型入力装置１６は、例えばキーボードとポインティングデバイスとを含んでいる。ＵＳＢポート１９は、インターフェイス１２内のＵＳＢインターフェイスに結合され、ＵＳＢポート１９にＵＳＢメモリ２０が装着される。ＵＳＢメモリ２０には、検査データファイル２２とこれに関連した関連データファイル２３とが格納されている。
【００２３】
この健康診断報告書作成プログラムを起動させた後、ＵＳＢメモリ２０をＵＳＢポート１９に装着させ、操作者が不図示のファイルメニューのファイル選択画面で関連データファイル２３を選択すると、このプログラムに従ってＣＰＵ１１により図１に示す処理が開始される。以下、括弧内は図中のステップ識別符号である。
【００２４】
（Ｓ０）関連データファイル２３から氏名、検査日、受診コース名、シリアル番号及び参考情報を入力する。この参考情報には、年齢、性別、身長及び問診回答情報が含まれている。
【００２５】
（Ｓ１）同様に操作者がファイル選択画面で検査データファイル２２を選択すると、検査データファイル２２からデータを入力する。このデータは、図３に示す如く、検査項目コード、検査項目名、検査値及びその単位のフィールドと、不図示の付加情報のフィールドとを含んでいる。この付加情報は、関連データファイル２３のデータと対応付けるものであり、例えば上記シリアル番号を含んでいる。
【００２６】
データ入力が完了すると、以下のステップＳ２〜Ｓ７により、図４の報告書データ２１に含まれる登録データ２１１と図３の検査データファイル２２の内容とに基づいたデータ処理が行われる。この登録データ２１１は、表示コード、検査項目コード、検査項目名、単位及び参考値（正常範囲の下限値及び上限値、又は下限値と上限値の一方のみ）のフィールドを含んでいる。報告書データ２１は、後記入されるデータ（変数）２１２も含んでおり、このデータ２１２は、検査値Ｘ、規格値Ｓ、検査値レベル及び備考のフィールドを含んでいる。
【００２７】
（Ｓ２）報告書データ２１のレコード識別変数ｉに初期値１を代入する。
【００２８】
（Ｓ３）報告書データ２１のレコードｉ（第ｉ行）の検査項目コードをキーとして、検査データファイル２２の内容を検索し、ヒットすればステップＳ４へ進み、そうでなければステップＳ７へ進む。
【００２９】
（Ｓ４）レコードｉの単位と、ヒットしたレコードｊの単位とを比較し、一致すればステップＳ５へ進み、そうでなければステップＳ６へ進む。
【００３０】
（Ｓ５）レコードｊの検査値Ｘを、報告書データ２１のレコードｉに転記する。次に、レコードｊの検査値Ｘを次のように規格化する。すなわち、正常範囲の下限値がＬ、上限値がＨであるとき、規格化された検査値Ｓを、例えば、
Ｓ＝２００（Ｘ−Ｌ）/（Ｈ−Ｌ）＋１００
として求める。この場合、Ｘ＝ＬのときＳ＝１００、Ｓ＝（Ｈ＋Ｌ）/２のときＳ＝２００、Ｘ＝ＨのときＳ＝３００となる。この式で求めたＳの値を、報告書データ２１のレコードｉの規格値フィールドに記入する。
【００３１】
また、規格値ＳがＳ＜１００であれば検査値レベルを「低値です」とし、Ｓ１００≦Ｓ≦１５０であれば検査値レベルを「やや低値です」とし、２５０≦Ｓ≦３００であれば検査値レベルを「やや高値です」とし、Ｓ＞３００であれば「高値です」とし、その文字列を報告書データ２１のレコードｉの検査値レベルフィールドに記入する。１５０＜Ｓ＜２５０であれば、検査値レベルフィールドに空文字""を記入する。
【００３２】
正常範囲が上限値Ｈのみの場合、Ｌ＝０とし、上式で求めたＳの値を、報告書データ２１のレコードｉの規格値フィールドに記入する。また、２５０≦Ｓ≦３００であれば検査値レベルを「やや高値です」とし、Ｓ＞３００であれば「高値です」とし、その文字列を報告書データ２１のレコードｉの検査値レベルフィールドに記入する。Ｓ＜２５０であれば、検査値レベルフィールドに空文字""を記入する。
【００３３】
次にステップＳ７へ進む。
【００３４】
（Ｓ６）エラー記号、例えば"●"を、このレコードｉのエラーフィールドに記入する。
【００３５】
（Ｓ７）ｉの値が報告書データ２１のレコード数ｎより小さければｉの値を１だけインクリメントしてステップＳ３へ戻る。
【００３６】
このような処理により、検査データファイル２２の各レコードｊの処理結果が、報告書データ２１の対応するレコードｉの後記入データ２１２に記入され、後述の報告書作成処理においては報告書データ２１のみ参照すればよい。
【００３７】
ここで、検査結果は「脂質」、「肝臓」、「ホルモン」、「ビタミン」等の検査テーマに分けられ、担当医師が対話型入力装置１６を操作して不図示の検査テーマ選択画面で検査テーマを選択すると、その検査結果が表示装置１７上に表示される。図６は、検査テーマが「脂質」である場合の表示画面であり、図７は、検査テーマが「肝臓」である場合の表示画面である。
【００３８】
次に、この表示画面について説明する。
【００３９】
例えば図６において、領域３０は、健康診断報告書の１頁を構成する印刷領域であり、領域３１は担当医師が用いる印刷外領域である。印刷領域３０は、上側から下側へ順に、表３０１、グラフ３０２、ドクターコメント３０３及び検査項目説明欄３０４を含んでいる。
【００４０】
表３０１は、検査項目名、検索値、検査値レベル（コメント）、単位、及び参考値（正常範囲）の列を有し、それぞれ図４の報告書データ２１内の該当する列に対応している。グラフ３０２には、検査項目名とバーの行を、各検査項目について有している。バー長は、上述の規定値Ｓに比例している。ドクターコメント３０３は、担当医師が検査結果を見て記入する欄である。検査項目説明欄３０４は、検査項目とその説明文の行を、各検査項目について有している。
【００４１】
印刷外領域３１は、担当医師が記入する備考欄３２と、表示コード記入欄３３と、備考欄３２と表示コード記入欄３３の間の枠無しエラー欄３４とからなる。欄３２〜３４はいずれも、表３０１の各行に対応した要素を有する。例えば表示コード記入欄３３はボックス３３１〜３３８を有する。ボックス３３１〜３３８には、予め報告書データ２１中の表示コード、例えば「２１」〜「２８」がそれぞれ記入されて記憶されている（ＨＤＤ１５に格納されている）。備考欄３２に記入した内容も同様に記憶される（ＨＤＤ１５に格納される）。
【００４２】
上記検査テーマ選択画面で、例えば「脂質」を選択すると、図２（Ａ）に示す処理が開始され、この処理が終了すると、図６に示すような処理結果が表示装置１７上に表示される。
【００４３】
（Ｓ１０）行識別変数ｊに、初期値１を代入する。行識別変数ｊは、表示コード記入欄３３、表３０１、グラフ３０２及び検査項目説明欄３０４に共通である。
【００４４】
（Ｓ１１）表示コード記入欄３３の上からｊ番目のボックス３３ｉ内の表示コードＤＣｊを読み込む。
【００４５】
（Ｓ１２）表示コードＤＣｊをキーとして、図４の報告書データ２１を検索し、ヒットしたレコードｋ（第ｋ行）を読み出して、その検査項目名、検査値、検査値レベル、単位及び参考値をそれぞれ、表３０１の第ｊ行の第１〜５列に記入する。また、このレコードｋの備考及びエラーをそれぞれ備考欄３２及びエラー欄３４の第ｊ行に記入する。
【００４６】
（Ｓ１３）報告書データ２１のレコードｋの検査項目名を、グラフ３０２の第ｊ行第１列に記入し、レコードｋの規定値Ｓに比例した長さのバーを、グラフ３０２の第ｊ行第２列に表示する。
【００４７】
（Ｓ１４）報告書データ２１のレコードｋの検査項目名及び説明文をそれぞれ、検査項目説明欄３０４の第ｊ行の第１列及び第２列に記入する。
【００４８】
（Ｓ１５）ｊの値が表示コード記入欄３３の行数ｍより小さければ、ｊの値を１だけインクリメントしてステップＳ１１へ戻る。
【００４９】
このような処理により、表３０１、グラフ３０２及び検査項目説明欄３０４の行方向帯状領域が、互いに対応するので、受診者及び担当医師は、検査結果を短時間で容易に把握することが可能となる。また、グラフ３０２が規格化されていることも、この把握容易化に寄与する。
【００５０】
単位エラーの場合、担当医師は、検査データ２２内の対応する検査値及び単位を修正して、エラーが出ないようにする。この処理は、プログラムに従って自動で行うようにしてもよい。
【００５１】
ここで、担当医師が受診者に検査結果を説明する場合、表３０１の上から順に説明した方が説明し易い。受診者にとっても、この順に説明を受けた方が、理解し易く、かつ、その内容をより長期間記憶に留めることが可能となり、結果として、検査結果をより有効に活用することが可能となる。
【００５２】
この説明順は、検査テーマ及び担当医師によって、一般に異なる。同一検査テーマであっても、検査項目の組み合わせや検査結果により、この説明順が異なる。
【００５３】
そこで、表示コード記入欄３３の第ｊ行を書き換えると、表３０１、グラフ３０２及び検査項目説明欄３０４のそれぞれの第ｊ行が連動して書き換えられるようにしている。すなわち、表示コード記入欄３３の第ｊ行の表示コードＤＣｊを書き換えると、図２（Ｂ）に示す処理が行われる。
【００５４】
この処理は、図２（Ａ）のステップＳ１１〜Ｓ１４の処理と同一であり、これにより、表示コード記入欄３３を書き換えたときの処理を、容易に構成することができる。
【００５５】
図５は、表示コード記入欄３３が５行である場合において、表示コードＤＣ１の値を変更したときにどの内容が変更されるかを示す説明図である。
【００５６】
図８は、図６において、ボックス３３１とボックス３３２の内容を入れ替えた場合の処理結果を示す。
【００５７】
図６において、右下側の「検査結果からのアドバイス」の欄のレ印は、担当医師が検査結果から判断して記入するものであり、健康診断報告書の不図示の対応するアドバイス頁を見ることにより、受診者は健康管理のために何をすべきかを知得することができる。
【００５８】
操作者が対話型入力装置１６を介して健康診断報告書作成装置１０に健康診断報告書印刷指示を与えると、健康診断のコース名、検査日、受診者の氏名、性別を記載したページと、健康診断コースに対応した検査テーマ毎のページと、上記レ印に対応したアドバイスページとが、健康診断報告書として印刷され、その束が印刷装置１８の後処理機能により綴じられる。
【００５９】
このような健康診断報告書によれば、受診者が担当医師から直接説明を受けなくても、検査結果を理解して自己の健康管理に注意することができ、必要に応じ、担当医師から直接検査結果の説明と健康管理の指導を受けることができる。
【００６０】
本発明の好適な実施例を説明したが、本発明には他にも種々の変形例が含まれ、上記複数の実施例で述べた構成要素の他の組み合わせ、各構成要素の機能を実現する他の構成を用いたもの、当業者であればこれらの構成又は機能から想到するであろう他の構成も、本発明に含まれる。
【００６１】
例えば、上記実施例では、健康診断報告書作成装置１０のＨＤＤ１５に健康診断報告書作成プログラムの全てを格納する場合を説明したが、図１０に示すように、このプログラムの本体部及び報告書データ２１をサーバ４０に格納し、インターネット４１を介して接続された健康診断報告書作成装置１０、１０Ａ、・・・、１０Ｚからサーバ４０へ検査データを送信し（図１のステップＳ０及びＳ１に対応）、サーバ４０でデータ処理を行い（図１のステップＳ２〜Ｓ７に対応）、健康診断報告書作成装置１０、１０Ａ、・・、１０Ｚから指定された検査テーマに応じて、図２（Ａ）の処理をサーバ４０で行って、例えば図６の画面を表示するためのＨＴＭＬファイルを生成し、サーバ４０から健康診断報告書作成装置１０、１０Ａ、・・、１０Ｚへこれを送信し、健康診断報告書作成装置１０、１０Ａ、・・、１０Ｚで表示コード記入欄３３を書き換えたことに応答して、同様にサーバ４０でＨＴＭＬファイルを生成し、これを健康診断報告書作成装置１０、１０Ａ、・・、１０Ｚに送信することにより、入れ替え処理を行う構成であってもよい。
【００６２】
また、年齢や性別に応じて正常範囲を定め、これに基づいて後記入データ２１２の内容を決定する構成であってもよい。
【００６３】
さらに、ドクターコメント３０３に自動的にコメントを記入し、必要に応じ担当医師がこのコメントを修正し又は追加する構成であってもよい。例えば、１以上の所定検査項目の検査値とそれぞれの正常範囲との関係から、疾患の疑い（糖尿病や脂質異常症などの疑い）や改善方法（食事の改善や運動が必要であること）をドクターコメント３０３に自動記入する構成であってもよい。
【００６４】
図１では図４のデータを基準にして図３のデータを検索する場合を説明したが、逆に、図３のデータを基準にして図４のデータを検索する構成であってもよい。
【００６５】
図１のステップＳ２〜Ｓ７の処理は、図２の報告書作成処理において行う構成であってもよい。
【００６６】
エラー欄３４は、表３０１内に設けてもよい。
【００６７】
また、健康診断報告書作成プログラムは、表計算ソフト、例えばExcel（登録商標）で構成してもよい。この場合、組込関数を用いてセルに計算式を記述して、図１のステップＳ１〜Ｓ７の処理を実質的に行うことができる。また、例えば図６の印刷領域３０内の各セルにおいて、表示コード欄３３の対応する行の表示コードに応じて、２１の対応するセルからデータを取得する計算式を記入することにより、図２（Ａ）及び（Ｂ）の処理を実質的に行うことができる。表計算ソフトを用いた場合には、安価に構成できるとともに、プログラムを複雑化させることなく、他の医師用の健康診断報告書作成プログラムに影響を与えずに、担当医師毎に備考欄３２及び表示コード欄３３の内容を自由にアレンジすることができるので、好適である。
【００６８】
さらに、検査データ及び関連データは、ＵＳＢメモリ２０に格納する替わりに、他の記憶メディアに格納したり、ネットワークインターフェイスを介して受信する構成であってもよいことは勿論である。
【符号の説明】
【００６９】
１０  健康診断報告書作成装置
１１  ＣＰＵ
１２  インターフェイス
１３  ＥＥＰＲＯＭ
１４  ＤＲＡＭ
１５  ＨＤＤ
１６  対話型入力装置
１７  表示装置
１８  印刷装置
１９  ＵＳＢポート
２０  ＵＳＢメモリ
２１  報告書データ
２２  検査データ
２３  関連データ
２１１  登録データ
２１２  後記入データ
３０  印刷領域
３１  印刷外領域
３２  備考欄
３３  表示コード記入欄
３３１〜３３８  ボックス
３４  エラー欄
３０１  表
３０２  グラフ
３０３  ドクターコメント
３０４  検査項目説明欄
４０  サーバ
４１  インターネット
【図１】
2011022915.tif 000003
【図２】
2011022915.tif 000004
【図３】
2011022915.tif 000005
【図４】
2011022915.tif 000006
【図５】
2011022915.tif 000007
【図６】
2011022915.tif 000008
【図７】
2011022915.tif 000009
【図８】
2011022915.tif 000010
【図９】
2011022915.tif 000011
【図１０】
2011022915.tif 000012